(57)【要約】【課題】自己始動形永久磁石式同期電動機を用いた密閉型圧縮機のロストルクと鉄損を低減し、効率の高い密閉型圧縮機を提供する。【解決手段】回転子１１１に四個の永久磁石１１３ａ、１１３ｂ、１１３ｃ、１１３ｄを埋設し、回転子全体で四極の回転子磁極を形成する。よって、永久磁石１１３ａ、１１３ｂ、１１３ｃ、１１３ｄの磁束がクランクシャフト１２３を通らなくなり、主軸受け部１２９との間に働いていた磁気吸引力がなくなり、ロストルクをなくすことができ、また、永久磁石１１３ａ、１１３ｂ、１１３ｃ、１１３ｄの磁束が主軸受け部１２９側をはじめ、周囲の鉄系材料に通って発生していた鉄損もなくすことができ、効率の高い密閉型圧縮機を提供できる。【選択図】図１
2014114761.tif 000002
【特許請求の範囲】
【請求項１】
密閉容器内に収納された圧縮機構部と、前記圧縮機構部に連結して駆動する電動機部と、からなり、前記電動機部が回転子の回転子鉄心に永久磁石を内蔵した四極の永久磁石型電動機である密閉型圧縮機。
【請求項２】
前記圧縮機構部は、二つの圧縮室を設けた請求項１に記載の密閉型圧縮機。
【請求項３】
前記圧縮機構部の二つの圧縮室は、前記回転子の回転軸を中心に対称の位置に設け、対称に動作させ、レシプロ式圧縮機とした請求項２に記載の密閉型圧縮機。
【請求項４】
請求項１から３のいずれか一項に記載の密閉型圧縮機を搭載した冷凍冷蔵庫。
【発明の詳細な説明】
【技術分野】
【０００１】
本発明は、主に家庭用の電気冷凍冷蔵庫などに使用される密閉型圧縮機に関し、詳しくは、そこに用いられる部品の構成によるものである。
【背景技術】
【０００２】
従来、密閉型圧縮機で、例えば、レシプロ式密閉型圧縮機は、電動機の高効率化を目的に、二極の自己始動形永久磁石式同期電動機を採用したものがある（例えば、特許文献１参照）。
【０００３】
以下、図面を参照しながら上記従来のレシプロ式密閉型圧縮機について説明する。
【０００４】
図７は、特許文献１に記載された従来のレシプロ式密閉型圧縮機の縦断面図、図８は、特許文献１に記載された従来のレシプロ式密閉型圧縮機の二極の自己始動形永久磁石式同期電動機における回転子の軸方向断面図、図９は、特許文献１に記載された従来のレシプロ式密閉型圧縮機の二極の自己始動形永久磁石式同期電動機における回転子の横断面図である。
【０００５】
図７、図８、図９において、密閉容器１内には冷媒３を充填するとともに、オイル５を貯留している。
【０００６】
自己始動形永久磁石式同期電動機７は、外部電源（図示せず）と繋がっている固定子９と、固定子９の内側と所定の間隙を有して配置された回転子１１から構成されている。
【０００７】
回転子１１には、永久磁石１３は二個の平板形の希土類磁石であるネオジウム、鉄、ボロン系の強磁性体からなり、同極性の永久磁石１３を突き合せ角度を有する山形状に突き合せるように挿入配置して回転子１１の軸方向に埋設されており、二個の永久磁石１３で一極の回転子磁極を形成し、回転子１１全体で二極の回転子磁極を形成している。
【０００８】
また、同極性の二個の永久磁石１３を山形状に配置して一極の回転子磁極を形成しているが、弓状の一個の永久磁石で一極の回転子磁極を形成してもよい。
【０００９】
なお、永久磁石１３が脱落するのを防止する保護用の端板１５が設けられている。
【００１０】
次に、圧縮要素１７の詳細を以下に説明する。
【００１１】
圧縮要素１７は、主軸部１９と偏心軸部２１を有するクランクシャフト２３と、固定子９の上方に固定され、圧縮室２５を形成するシリンダブロック２７と、シリンダブロック２７と一体または別体に形成されクランクシャフト２３を支持する主軸受け部２９と、圧縮室２５内で往復運動するピストン３１と、ピストン３１と偏心軸部２１とを連結するコンロッド３３と、でレシプロ式の圧縮機構を形成している。
【００１２】
クランクシャフト２３の下端には、遠心ポンプを構成する給油孔３５が設けられ主軸部１９に設けられた給油経路３７と連通している。
【００１３】
以上のように構成されたレシプロ式密閉型圧縮機について、以下その動作を説明する。
【００１４】
固定子９に外部電源より通電がされると、回転子１１はクランクシャフト２３とともに
回転する。
【００１５】
これに伴い、偏心軸部２１の偏心運動はコンロッド３３を介してピストン３１を圧縮室２５内で往復運動させ、吸入ガスを圧縮する所定の圧縮動作を行う。
【００１６】
また、クランクシャフト２３の下端に設けられた遠心ポンプを構成する給油孔３５は密閉容器１内に貯留したオイル５を吸い上げて、摺動部へ供給することで各摺動部を潤滑する。
【先行技術文献】
【特許文献】
【００１７】
【特許文献１】特公昭５９−０２３１７９号公報
【発明の概要】
【発明が解決しようとする課題】
【００１８】
しかしながら、前記従来の構成では、クランクシャフト２３と永久磁石１３を備えた回転子１１が接触しているとともに、永久磁石１３の磁束がクランクシャフト２３を通るため、励磁されたクランクシャフト２３と主軸受け部２９との間に磁気吸引力が働いて、電動機の発生トルクを低下させるロストルクが生じる。
【００１９】
また、永久磁石１３の磁束が主軸受け部２９側をはじめ、周囲の鉄系材料を通り鉄損（特に渦電流損）が発生する。
【００２０】
このロストルクと鉄損（特に渦電流損）を補って運転を続けるために電動機として、その見合い分の余分な電力を投入する必要があり、効率向上を阻害するといった課題を有していた。
【００２１】
本発明は、前記従来の課題を解決するもので、効率の高い密閉型圧縮機を提供することを目的とする。
【課題を解決するための手段】
【００２２】
前記従来の課題を解決するために、本発明の密閉型圧縮機は、回転子に四個の永久磁石を埋設し、四個の永久磁石で四極の回転子磁極を形成し、回転子全体で四極の回転子磁極を形成したものである。
【００２３】
これによって、永久磁石の磁束がクランクシャフトを通らなくなり、主軸受け部との間に働いていた磁気吸引力がなくなり、ロストルクをなくすことができる。
【００２４】
また、これによって、永久磁石の磁束が主軸受け部側をはじめ、周囲の鉄系材料に通って発生していた鉄損（特に渦電流損）もなくすことができる。
【００２５】
よって、効率向上の阻害要因を排除できるという作用を有する。
【発明の効果】
【００２６】
本発明の密閉型圧縮機は、回転子に四個の永久磁石を埋設し、回転子全体で四極の回転子磁極を形成することで、永久磁石の磁束によるロストルクや鉄損（特に渦電流損）をなくすことができ、効率向上の阻害要因を排除できるので、効率の高い密閉型圧縮機を提供することができる。
【図面の簡単な説明】
【００２７】
【図１】本発明の実施の形態１におけるレシプロ式密閉型圧縮機の縦断面図
【図２】本発明の実施の形態１におけるレシプロ式密閉型圧縮機の四極の自己始動形永久磁石式同期電動機の回転子の横断面図
【図３】本発明の実施の形態２におけるレシプロ式密閉型圧縮機の縦断面図
【図４】本発明の実施の形態２におけるレシプロ式密閉型圧縮機の四極の自己始動形永久磁石式同期電動機の回転子の横断面図
【図５】本発明の実施の形態３におけるレシプロ式密閉型圧縮機の縦断面図
【図６】本発明の実施の形態３におけるレシプロ式密閉型圧縮機の四極の自己始動形永久磁石式同期電動機の回転子の横断面図
【図７】従来のレシプロ式密閉型圧縮機の縦断面図
【図８】従来のレシプロ式密閉型圧縮機の二極の自己始動形永久磁石式同期電動機における回転子の軸方向断面図
【図９】従来のレシプロ式密閉型圧縮機の２極の自己始動形永久磁石式同期電動機における回転子の横断面図
【発明を実施するための形態】
【００２８】
第１の発明は、密閉容器内に収納された圧縮機構部と、前記圧縮機構部に連結して駆動する電動機部とからなり、前記電動機部が回転子の回転子鉄心に永久磁石を内蔵した四極の永久磁石型電動機である。
【００２９】
これにより、永久磁石の磁束がクランクシャフトを通らなくなり、クランクシャフトと主軸受け部との間に働いていた磁気吸引力がなくなり、ロストルクが生じず、また、永久磁石の磁束が主軸受け部側をはじめ、周囲の鉄系材料に通って発生していた鉄損（特に渦電流損）もなくなり、電動機の高効率をそのまま反映した高効率電動圧縮機を提供できるという作用を有する。
【００３０】
第２の発明は、特に、第１の発明の圧縮機構部に二つの圧縮室を設けることにより、さらに信頼性の高い密閉型圧縮機を提供することができる。
【００３１】
第３の発明は、特に、第２の発明の前圧縮機構部の二つの圧縮室は、前記回転子の回転軸を中心に対称の位置に設け、対称に動作させ、レシプロ式圧縮機としたことにより、圧縮時に働くそれぞれのピストン慣性力が打ち消されることとなり、低騒音、低振動となり、さらに低騒音、低振動の密閉型圧縮機を提供することができる。
【００３２】
第４の発明は、特に、第１から３のいずれか一つの発明の密閉型圧縮機を冷凍冷蔵庫に搭載することにより、効率の高い冷凍冷蔵庫を提供することができる。
【００３３】
以下、本発明の実施の形態について、図面を参照しながら説明する。なお、この実施の形態によって本発明が限定されるものではない。
【００３４】
（実施の形態１）
図１は、本発明の実施の形態１におけるレシプロ式密閉型圧縮機の縦断面図、図２は、本発明の実施の形態１におけるレシプロ式密閉型圧縮機の四極の自己始動形永久磁石式同期電動機の回転子の横断面図である。
【００３５】
本実施の形態においては、レシプロ式密閉型圧縮機について説明する。
【００３６】
図１、図２において、密閉容器１０１内には冷媒１０３を充填するとともに、オイル１０５を貯留している。
【００３７】
自己始動形永久磁石式同期電動機１０７は、外部電源（図示せず）と繋がっている固定子１０９と、固定子１０９の内側と所定の間隙を有して配置された回転子１１１から構成されている。
【００３８】
回転子１１１には、永久磁石１１３ａ、１１３ｂ、１１３ｃ、１１３ｄは、平板形の希土類磁石であるネオジウム、鉄、ボロン系の強磁性体からなる。
【００３９】
永久磁石１１３ａ、１１３ｂ、１１３ｃ、１１３ｄを四角形状に向かい合わせるように挿入配置して回転子１１１の軸方向に埋設されており、永久磁石１１３ａ、１１３ｂ、１１３ｃ、１１３ｄはそれぞれ一個で一極の回転子磁極を形成し、回転子１１１全体で四極の回転子磁極を形成している。
【００４０】
また、平板形の永久磁石１１３ａ、１１３ｂ、１１３ｃ、１１３ｄを配置しているが、弓状の一個の永久磁石で形成してもよい。
【００４１】
なお、永久磁石１１３ａ、１１３ｂ、１１３ｃ、１１３ｄが脱落するのを防止する保護用の端板１１５が設けられている。
【００４２】
次に、圧縮要素１１７の詳細を以下に説明する。
【００４３】
圧縮要素１１７は、主軸部１１９と偏心軸部１２１を有するクランクシャフト１２３と、固定子１０９の上方に固定され、圧縮室１２５を形成するシリンダブロック１２７と、シリンダブロック１２７と一体または別体に形成されクランクシャフト１２３を支持する主軸受け部１２９と、圧縮室１２５内で往復運動するピストン１３１と、ピストン１３１と偏心軸部１２１とを連結するコンロッド１３３と、でレシプロ式の圧縮機構を形成している。
【００４４】
クランクシャフト１２３の下端には、遠心ポンプを構成する給油孔１３５が設けられ主軸部１１９に設けられた給油経路１３７と連通している。
【００４５】
以上のように構成されたレシプロ式密閉型圧縮機について、以下その動作を説明する。
【００４６】
固定子１０９に外部電源より通電がされると、回転子１１１はクランクシャフト１２３とともに回転する。
【００４７】
これに伴い、偏心軸部１２１の偏心運動はコンロッド１３３を介してピストン１３１を圧縮室１２５内で往復運動させ、吸入ガスを圧縮する所定の圧縮動作を行う。
【００４８】
また、クランクシャフト１２３の下端に設けられた遠心ポンプを構成する給油孔１３５は、密閉容器１０１内に貯留したオイル１０５を吸い上げて摺動部へ供給することで各摺動部を潤滑する。
【００４９】
次に、永久磁石１１３ａ、１１３ｂ、１１３ｃ、１１３ｄの磁束の流れを図２の矢印線で概念的に説明する。
【００５０】
永久磁石１１３ａから出た磁束はすぐ隣の永久磁石１１３ｂに吸い込まれていく。
【００５１】
他の永久磁石１１３ｂ、１１３ｃ、１１３ｄにおいても、すぐ隣の永久磁石１１３ｃ、１１３ｄ、１１３ａに吸い込まれていく。
【００５２】
これによって、永久磁石１１３ａ、１１３ｂ、１１３ｃ、１１３ｄの磁束が、クランクシャフト１２３を通らなくなり、主軸受け部１２９との間には磁気吸引力が働かないので、ロストルクは生じない。
【００５３】
また、永久磁石１１３ａ、１１３ｂ、１１３ｃ、１１３ｄの磁束が、主軸受け部１２９側をはじめ、周囲の鉄系材料に通らなくなり、鉄損（特に渦電流損）は生じない。
【００５４】
従って、レシプロ式密閉型圧縮機は自己始動形永久磁石式同期電動機の高い効率を反映させることができ、高効率のレシプロ式密閉型圧縮機を提供することができる。
【００５５】
なお、本実施の形態では、レシプロ式密閉型圧縮機について説明したが、ロータリー式、スクロール式の密閉型圧縮機に適用しても、同様の効果が得られる。
【００５６】
（実施の形態２）
図３は、本発明の実施の形態２におけるレシプロ式密閉型圧縮機の縦断面図、図４は、本発明の実施の形態２におけるレシプロ式密閉型圧縮機の四極の自己始動形永久磁石式同期電動機の回転子の横断面図である。
【００５７】
本実施の形態においては、レシプロ式密閉型圧縮機について説明する。
【００５８】
図３、図４において、密閉容器２０１内には冷媒２０３を充填するとともに、オイル２０５を貯留している。
【００５９】
自己始動形永久磁石式同期電動機２０７は、外部電源（図示せず）と繋がっている固定子２０９と、固定子２０９の内側と所定の間隙を有して配置された回転子２１１から構成されている。
【００６０】
回転子２１１には、永久磁石２１３ａ、２１３ｂ、２１３ｃ、２１３ｄは平板形の希土類磁石であるネオジウム、鉄、ボロン系の強磁性体からなる。
【００６１】
永久磁石２１３ａ、２１３ｂ、２１３ｃ、２１３ｄを四角形状に向かい合わせるように挿入配置して回転子２１１の軸方向に埋設されており、永久磁石２１３ａ、２１３ｂ、２１３ｃ、２１３ｄはそれぞれ一個で一極の回転子磁極を形成し、回転子２１１全体で四極の回転子磁極を形成している。
【００６２】
また、平板形の永久磁石２１３ａ、２１３ｂ、２１３ｃ、２１３ｄを配置しているが、弓状の一個の永久磁石で形成してもよい。
【００６３】
なお、永久磁石２１３ａ、２１３ｂ、２１３ｃ、２１３ｄが脱落するのを防止する保護用の端板２１５が設けられている。
【００６４】
次に、圧縮要素２１７ａ、２１７ｂの詳細を以下に説明する。
【００６５】
圧縮要素２１７ａ、２１７ｂは、主軸部２１９と偏心軸部２２１を有するクランクシャフト２２３と、固定子２０９の上方に固定され、圧縮室２２５ａ、２２５ｂを形成するシリンダブロック２２７と、シリンダブロック２２７と一体または別体に形成されクランクシャフト２２３を支持する主軸受け部２２９と、圧縮室２２５ａ、２２５ｂ内で往復運動するピストン２３１ａ、２３１ｂと、ピストン２３１ａ、２３１ｂと偏心軸部２２１とを連結するコンロッド２３３ａ、２３３ｂと、でレシプロ式の圧縮機構を形成している。
【００６６】
クランクシャフト２２３下端には遠心ポンプを構成する給油孔２３５が設けられ主軸部２１９に設けられた給油経路２３７と連通している。
【００６７】
以上のように構成されたレシプロ式密閉型圧縮機について、以下その動作を説明する。
【００６８】
固定子２０９に外部電源より通電がされると、回転子２１１はクランクシャフト２２３とともに回転する。
【００６９】
これに伴い、偏心軸部２２１の偏心運動はコンロッド２３３ａ、２３３ｂを介してピストン２３１ａ、２３１ｂを圧縮室２２５ａ、２２５ｂ内で往復運動させ、吸入ガスを圧縮する所定の圧縮動作を行う。
【００７０】
また、クランクシャフト２２３下端に設けられた遠心ポンプを構成する給油孔２３５は密閉容器２０１内に貯留したオイル２０５を吸い上げて摺動部へ供給することで各摺動部を潤滑する。
【００７１】
次に、永久磁石２１３ａ、２１３ｂ、２１３ｃ、２１３ｄの磁束の流れを図４の矢印線で概念的に説明する。
【００７２】
永久磁石２１３ａから出た磁束はすぐ隣の永久磁石２１３ｂに吸い込まれていく。
【００７３】
他の永久磁石２１３ｂ、２１３ｃ、２１３ｄにおいても、すぐ隣の永久磁石２１３ｃ、２１３ｄ、２１３ａに吸い込まれていく。
【００７４】
これによって、永久磁石２１３ａ、２１３ｂ、２１３ｃ、２１３ｄの磁束がクランクシャフト２２３を通らなくなり、主軸受け部２２９との間には磁気吸引力が働かないので、ロストルクは生じない。
【００７５】
また、永久磁石２１３ａ、２１３ｂ、２１３ｃ、２１３ｄの磁束が主軸受け部２２９側をはじめ、周囲の鉄系材料に通らなくなり、鉄損（特に渦電流損）は生じない。
【００７６】
このとき、回転子２１１の極数を四極にした場合、二極のときに比べ、運転回転数が半分になってしまい、レシプロ式密閉型圧縮機の冷凍能力も半分になってしまうが、本実施の形態では、二つの圧縮要素２１７ａ、２１７ｂを有するため、従来の冷凍能力を確保することができる。
【００７７】
さらに、一つの圧縮要素のままで、圧縮要素の容積を増やした場合、信頼性特性が大幅に悪化してしまうが、本実施の形態では、二つの圧縮要素２１７ａ、２１７ｂを有するため、高い信頼性を確保することができる。
【００７８】
従って、レシプロ式密閉型圧縮機は自己始動形永久磁石式同期電動機の高い効率を反映させることができ、さらに従来の冷凍能力を確保しつつ、高い信頼性のレシプロ式密閉型圧縮機を提供することができる。
【００７９】
（実施の形態３）
図５は、本発明の実施の形態３におけるレシプロ式密閉型圧縮機の縦断面図、図６は、本発明の実施の形態３におけるレシプロ式密閉型圧縮機の四極の自己始動形永久磁石式同期電動機の回転子の横断面図である。
【００８０】
本実施の形態においては、レシプロ式密閉型圧縮機について説明する。
【００８１】
図５、図６において、密閉容器３０１内には冷媒３０３を充填するとともに、オイル３０５を貯留している。
【００８２】
自己始動形永久磁石式同期電動機３０７は、外部電源（図示せず）と繋がっている固定子３０９と、固定子３０９の内側と所定の間隙を有して配置された回転子３１１から構成されている。
【００８３】
回転子３１１には、永久磁石３１３ａ、３１３ｂ、３１３ｃ、３１３ｄは平板形の希土類磁石であるネオジウム、鉄、ボロン系の強磁性体からなる。
【００８４】
永久磁石３１３ａ、３１３ｂ、３１３ｃ、３１３ｄを四角形状に向かい合わせるように挿入配置して回転子３１１の軸方向に埋設されており、永久磁石３１３ａ、３１３ｂ、３１３ｃ、３１３ｄはそれぞれ一個で一極の回転子磁極を形成し、回転子３１１全体で四極の回転子磁極を形成している。
【００８５】
また、平板形の永久磁石３１３ａ、３１３ｂ、３１３ｃ、３１３ｄを配置しているが、弓状の一個の永久磁石で形成してもよい。
【００８６】
なお、永久磁石３１３ａ、３１３ｂ、３１３ｃ、３１３ｄが脱落するのを防止する保護用の端板３１５が設けられている。
【００８７】
次に、圧縮要素３１７ａ、３１７ｂの詳細を以下に説明する。
【００８８】
圧縮要素３１７ａ、３１７ｂは、主軸部３１９と偏心軸部３２１ａ、３２１ｂを有するクランクシャフト３２３と、固定子３０９の上方に固定され、圧縮室３２５ａ、３２５ｂを形成するシリンダブロック３２７と、シリンダブロック３２７と一体または別体に形成されクランクシャフト３２３を支持する主軸受け部３２９と、圧縮室３２５ａ、３２５ｂ内で往復運動するピストン３３１ａ、３３１ｂと、ピストン３３１ａ、３３１ｂと偏心軸部３２１ａ、３２１ｂとを連結するコンロッド３３３ａ、３３３ｂと、でレシプロ式の圧縮機構を形成している。
【００８９】
また、圧縮要素３１７ａ、３１７ｂは、回転子３１１の回転軸を中心に対称の位置に設けられている。
【００９０】
クランクシャフト３２３下端には、遠心ポンプを構成する給油孔３３５が設けられ主軸部３１９に設けられた給油経路３３７と連通している。
【００９１】
以上のように構成されたレシプロ式密閉型圧縮機について、以下その動作を説明する。
【００９２】
固定子３０９に外部電源より通電がされると、回転子３１１はクランクシャフト３２３とともに回転する。
【００９３】
これに伴い、偏心軸部３２１ａ、３２１ｂの偏心運動はコンロッド３３３ａ、３３３ｂを介してピストン３３１ａ、３３１ｂを圧縮室３２５ａ、３２５ｂ内で往復運動させ、吸入ガスを圧縮する所定の圧縮動作を行う。
【００９４】
また、圧縮要素３１７ａ、３１７ｂは、回転子３１１の回転軸を中心に対称の位置に設けられているため、同時に圧縮動作を行う。
【００９５】
また、クランクシャフト３２３下端に設けられた遠心ポンプを構成する給油孔３３５は密閉容器３０１内に貯留したオイル３０５を吸い上げて摺動部へ供給することで各摺動部を潤滑する。
【００９６】
次に、永久磁石３１３ａ、３１３ｂ、３１３ｃ、３１３ｄの磁束の流れを図６の矢印線で概念的に説明する。
【００９７】
永久磁石３１３ａから出た磁束はすぐ隣の永久磁石３１３ｂに吸い込まれていく。
【００９８】
他の永久磁石３１３ｂ、３１３ｃ、３１３ｄにおいても、すぐ隣の永久磁石３１３ｃ、３１３ｄ、３１３ａに吸い込まれていく。
【００９９】
これによって、永久磁石３１３ａ、３１３ｂ、３１３ｃ、３１３ｄの磁束がクランクシャフト３２３を通らなくなり、主軸受け部３２９との間には磁気吸引力が働かないので、ロストルクは生じない。
【０１００】
また、永久磁石３１３ａ、３１３ｂ、３１３ｃ、３１３ｄの磁束が主軸受け部３２９側をはじめ、周囲の鉄系材料に通らなくなり、鉄損（特に渦電流損）は生じない。
【０１０１】
このとき、回転子３１１の極数を四極にした場合、二極のときに比べ、運転回転数が半分になってしまい、自己始動形永久磁石式同期電動機３０７の冷凍能力も半分になってしまうが、本実施の形態では、二つの圧縮要素３１７ａ、３１７ｂを有するため、従来の冷凍能力を確保することができる。
【０１０２】
さらに、一つの圧縮要素のままで、容積を増やした場合、信頼性特性が大幅に悪化してしまうが、本実施の形態では、二つの圧縮要素３１７ａ、３１７ｂを有するため、高い信頼性を確保することができる。
【０１０３】
さらに、本実施の形態では、二つの圧縮要素３１７ａ、３１７ｂが、回転子３１１の回転軸を中心に対称に設けられているため、同時に圧縮動作を行う。
【０１０４】
これにより、圧縮時に働くピストン３３１ａ、３３１ｂのそれぞれの慣性力が打ち消されることとなり、低騒音、低振動となる。
【０１０５】
従って、レシプロ式密閉型圧縮機では、自己始動形永久磁石式同期電動機の高い効率を反映させることができ、さらに従来の冷凍能力を確保しつつ、高い信頼性、特に、低騒音、低振動のレシプロ式密閉型圧縮機を提供することができる。
【０１０６】
なお、本実施の形態のレシプロ式密閉型圧縮機を冷凍冷蔵庫に搭載することで、高い効率、高い信頼性、特に、低騒音、低振動の冷凍冷蔵庫を提供することができる。
【産業上の利用可能性】
【０１０７】
以上のように、本発明にかかる密閉型圧縮機は、効率が高いので、業務用冷蔵庫、冷凍ショーケース、除湿機エアーコンディショナーや自動販売機などに用いられる密閉型圧縮機等の用途にも適用できる。
【符号の説明】
【０１０８】
１０１、２０１、３０１  密閉容器
１０３、２０３、３０３  冷媒
１０５、２０５、３０５  オイル
１０７、２０７、３０７  自己始動形永久磁石式同期電動機
１０９、２０９、３０９  固定子
１１１、２１１、３１１  回転子
１１３ａ、１１３ｂ、１１３ｃ、１１３ｄ、２１３ａ、２１３ｂ、２１３ｃ、２１３ｄ、３１３ａ、３１３ｂ、３１３ｃ、３１３ｄ  永久磁石
１１５、２１５、３１５  端板
１１７、２１７ａ、２１７ｂ、３１７ａ、３１７ｂ  圧縮要素
１１９、２１９、３１９  主軸部
１２１、２２１、３２１ａ、３２１ｂ  偏心軸部
１２３、２２３、３２３  クランクシャフト
１２５、２２５ａ、２２５ｂ、３２５ａ、３２５ｂ  圧縮室
１２７、２２７、３２７  シリンダブロック
１２９、２２９、３２９  主軸受け部
１３１、２３１ａ、２３１ｂ、３３１ａ、３３１ｂ  ピストン
１３３、２３３ａ、２３３ｂ、３３３ａ、３３３ｂ  コンロッド
１３５、２３５、３３５  給油孔
１３７、２３７、３３７  給油経路
【図１】
2014114761.tif 000003
【図２】
2014114761.tif 000004
【図３】
2014114761.tif 000005
【図４】
2014114761.tif 000006
【図５】
2014114761.tif 000007
【図６】
2014114761.tif 000008
【図７】
2014114761.tif 000009
【図８】
2014114761.tif 000010
【図９】
2014114761.tif 000011